(57)【要約】【課題】構成の簡素化、省スペース化、低コスト化を図った、フランジバックの調整が可能なカメラ組立構造を提供することを課題とする。【解決手段】ガイド軸１８，１９のうちの１本のガイド軸１８が通るガイド孔４５および該ガイド孔４５に平行するねじ孔４４を有した結合ブロック（ナット）４３と、ねじ孔４４に螺合するねじ部４２を有し、光軸（ｏ１）と平行でかつセンサブロック２０に回転可能に支持された送りねじ４１とを有して、センサブロック２０を光軸方向に沿い移動させる直動機構と、コイル部５１と該コイル部５１に連続する第１のアーム部５２および第２のアーム部５３とを有し、コイル部５１に１本のガイド軸１８が通され、第１のアーム部５２が結合ブロック４３に係止され、第２のアーム部５３がセンサブロック２０に係止されて、センサブロック２０に、１本のガイド軸１８の軸周り方向と上記光軸に沿う方向の二方向に予圧をかけるねじりコイルばね５０とを具備する。【選択図】図１
2016009119.tif 000002
【特許請求の範囲】
【請求項１】
レンズマウントを有したベースプレートと、
前記ベースプレートに前記レンズマウントの光軸に平行に設けられた複数のガイド軸と、
前記各ガイド軸に前記光軸に沿う方向に移動可能に支持されたセンサブロックと、
前記レンズマウントに対向して前記センサブロックに設けられたエリアイメージセンサと、
前記センサブロックを前記光軸に沿い位置調整するフランジバック調整手段とを具備し、
前記フランジバック調整手段は、
前記各ガイド軸のうちの１本のガイド軸が通るガイド孔および該ガイド孔に平行するねじ孔を有した結合ブロックと、前記ねじ孔に螺合するねじ部を有し、前記光軸と平行でかつ前記センサブロックに回転可能に支持された送りねじとを有して、前記センサブロックを前記光軸方向に沿い移動させる直動機構と、
コイル部と該コイル部に連続する第１および第２のアーム部とを有し、前記コイル部に前記１本のガイド軸が通され、前記第１のアーム部が前記結合ブロックに係止され、前記第２のアーム部が前記センサブロックに係止されて、前記センサブロックに、前記１本のガイド軸の軸周り方向と前記光軸に沿う方向の二方向に予圧をかけるねじりコイルばねと、
を具備したことを特徴とするカメラ組立構造。
【請求項２】
前記センサブロックは、前記１本のガイド軸が通るガイド孔を設けた第１および第２の連結部を前記光軸に沿う方向に間隔を存して有し、これら連結部相互の間に前記結合ブロックに設けた前記ガイド孔を配置し、前記結合ブロックの一面と前記第１および第２の連結部のうちの一方との間に前記コイル部を圧縮状態に挟んで配置したことを特徴とする請求項１に記載のカメラ組立構造。
【請求項３】
前記センサブロックは、前記第１の連結部を設けた第１部位と、前記第２の連結部を設けて前記第１部位に接続された第２部位と、前記第１部位と前記第２部位とにわたる係合壁部とを有し、
前記結合ブロックは、前記ガイド孔と前記ねじ孔との間に、ばね受部を有し、
前記ねじりコイルばねは、前記第１のアーム部を前記ばね受部に係止させ、前記第２のアーム部を前記係合壁部に係止させて配置され、
前記コイル部のねじり反力により、前記第２のアーム部を前記係合壁部に押し当て、前記コイル部の圧縮反力により、前記コイル部を前記一方の連結部に押し当てた状態に保持していることを特徴とする請求項２に記載のカメラ組立構造。
【請求項４】
前記ガイド軸は、前記レンズマウントを間に置いて前記レンズマウントの中心線から変位した２カ所に配設されている特徴とする請求項１乃至３のいずれか１項に記載のカメラ組立構造。
【請求項５】
前記ねじりコイルばねは、前記コイル部の巻ピッチを前記コイル部の線径の２倍以上としたことを特徴とする請求項１乃至３のいずれか１項に記載のカメラ組立構造。
【請求項６】
前記ねじりコイルばねをダブルトーション形ばねとしたことを特徴とする請求項１乃至３のいずれか１項に記載のカメラ組立構造。
【請求項７】
前記フランジバック調整機構は、前記センサブロックを前記ベースプレートに対し基準位置から前記光軸方向に±１．０ｍｍの範囲で任意の位置に保持することを特徴とする請求項１乃至３のいすれか１項に記載のカメラ組立構造。
【発明の詳細な説明】
【技術分野】
【０００１】
本発明は、例えば工業用カメラシステム、防犯用監視カメラシステム等に適用して好適なカメラ組立構造に関する。
【背景技術】
【０００２】
工業用カメラシステム、防犯用監視カメラシステム等に適用される撮像カメラは、カメラ本体（カメラ筐体）に、撮像レンズを装着するレンズ取付部を有し、カメラ本体内に、ＣＣＤ（Charge Coupled Device）、ＣＭＯＳ（Complementary Metal Oxide Semiconductor Image Sensor）等の固体撮像素子でなるエリアイメージセンサを有している。
【０００３】
この種、カメラシステムにおいては、カメラとレンズの組合せについて、レンズ取付部となるレンズマウントとエリアイメージセンサの撮像面との間の距離（フランジバック）が規格で決められており、例えばカメラがＣＳマウント規格の場合、上記距離、すなわちフランジバック（Ｆ．Ｂ．）は、Ｆ．Ｂ．＝１２．５００ｍｍであり、Ｃマウントレンズの場合、Ｆ．Ｂ．＝１７．５２６mmである。因みにレンズマウントには、一定の規格範囲内で用途に応じた所望のレンズが装着可能である。
【０００４】
このフランジバック（Ｆ．Ｂ．）に誤差が生じると、撮影した画像に対して高精細な出力映像が得られず、誤差に応じた所謂ピンぼけが生ずる。
【０００５】
近年、表示画面の高精細化に伴い、カメラの出力映像においても高分解能画像が要求され、上記したフランジバック（Ｆ．Ｂ．）の微細な位置調整機構が必要になってきた。このフランジバック調整機構は、上記した数値例からも明らかなように微細な距離の調整を行うことから、調整機構において、バックラッシュ（backlash）やはめ合い交差を考慮した加工精度の高い高価な部材を用いた構造となり、例えばボールねじを使用した場合は構成の大型化並びに煩雑化を招く問題があった。
【先行技術文献】
【特許文献】
【０００６】
【特許文献１】特開２０１０−１６５４４５号公報
【特許文献２】特開２００９−３００５２７号公報
【特許文献３】特開２０１１−１９２５９２号公報
【発明の概要】
【発明が解決しようとする課題】
【０００７】
本発明は上記実情に鑑みなされたもので、構成の簡素化、省スペース化、低コスト化を図った、フランジバックの調整が可能なカメラ組立構造を提供することを目的とする。
【課題を解決するための手段】
【０００８】
本発明は、レンズマウントを有したベースプレートと、前記ベースプレートに前記レンズマウントの光軸に平行に設けられた複数のガイド軸と、前記各ガイド軸に前記光軸に沿う方向に移動可能に支持されたセンサブロックと、前記レンズマウントに対向して前記センサブロックに設けられたエリアイメージセンサと、前記センサブロックを前記光軸に沿い位置調整するフランジバック調整手段とを具備し、前記フランジバック調整手段は、前記各ガイド軸のうちの１本のガイド軸が通るガイド孔および該ガイド孔に平行するねじ孔を有した結合ブロックと、前記ねじ孔に螺合するねじ部を有し、前記光軸と平行でかつ前記センサブロックに回転可能に支持された送りねじとを有して、前記センサブロックを前記光軸方向に沿い移動させる直動機構と、コイル部と該コイル部に連続する第１および第２のアーム部とを有し、前記コイル部に前記１本のガイド軸が通され、前記第１のアーム部が前記結合ブロックに係止され、前記第２のアーム部が前記センサブロックに係止されて、前記センサブロックに、前記１本のガイド軸の軸周り方向と前記光軸に沿う方向の二方向に予圧をかけるねじりコイルばねと、を具備したカメラ組立構造を特徴とする。
【発明の効果】
【０００９】
本発明によれば、構成の簡素化、省スペース化、低コスト化を図った、フランジバックの調整が可能なカメラ組立構造を提供することができる。
【図面の簡単な説明】
【００１０】
【図１】本発明の第１実施形態に係るカメラ組立構造を示す分解斜視図。
【図２】上記実施形態に係るカメラ組立構造を示す斜視図。
【図３】上記実施形態に係るカメラ組立構造の一部を示す斜視図。
【図４】上記実施形態に係るカメラ組立構造の一部を示す斜視図。
【図５】上記実施形態に係るカメラ組立構造を示す側面図。
【図６】上記実施形態における要部の構成を示す側面図。
【図７】上記実施形態におけるねじりコイルばねの構成並びに作用を説明するための図。
【図８】本発明の第２実施形態に係るカメラ組立構造の一部を示す斜視図。
【図９】本発明の第３実施形態に係る要部の構成を示す側面図。
【発明を実施するための形態】
【００１１】
以下図面を参照して本発明の実施形態を説明する。
【００１２】
図１乃至図７はそれぞれ第１実施形態に係るカメラ組立構造を示したもので、図１は分解斜視図、図２は組立後の斜視図、図３はねじりコイルばねの取付位置を示す斜視図、図４は図３に示す取付位置にねじりコイルばねを取り付けた状態を示す斜視図、図５は組立後の側面図、図６は図５の一部を拡大して示す側面図、図７は図３に示す取付位置に取り付けられるねじりコイルばねを示す図である。
【００１３】
本発明の実施形態に係るカメラ組立構造は、図１、図２および図５に示すように、撮像窓１１を有し、レンズが装着されるレンズマウント１２をカメラ本体の外筐となる一方の面１０Ａに有した矩形状のベースプレート１０と、上記ベースプレート１０の他方の面１０ｂに上記レンズマウント１２の光軸（ｏ１）に平行に設けられた２本のガイド軸１８，１９と、上記各ガイド軸１８，１９に、上記光軸（ｏ１）に沿う方向に移動可能に支持されたセンサブロック２０と、上記センサブロック２０に設けられ、上記レンズマウント１２に対向してエリアイメージセンサ３１を実装したセンサ基板３０と、上記センサブロック２０を上記光軸（ｏ１）に沿い位置調整するフランジバック調整部４０とを具備して構成されている。
【００１４】
上記フランジバック調整部４０は、上記各ガイド軸１８，１９のうちの１本のガイド軸１８が通るガイド孔４５および該ガイド孔４５に平行するねじ孔４４を有した結合ブロック（ナット）４３と、上記ねじ孔４４に螺合するねじ部４２を有し、上記光軸（ｏ１）と平行でかつ上記センサブロック２０に回転可能に支持された送りねじ４１とを有して、上記センサブロック２０を上記光軸（ｏ１）方向に沿い移動させる、リミットストッパ４６ａ，４６ｂ、ベアリング４７、ブラケット４８および調整ダイヤル４９を含んで構成された直動機構と、コイル部５１と該コイル部５１に連続する第１のアーム部５２および第２のアーム部５３とを有し、上記コイル部５１に上記１本のガイド軸１８が通され、上記第１のアーム部５２が上記結合ブロック４３に係止され、上記第２のアーム部５３が上記センサブロック２０に係止されて、上記センサブロック２０に、上記１本のガイド軸１８の軸周り方向と上記光軸（ｏ１）に沿う方向の二方向に予圧をかけるねじりコイルばね５０とを具備して構成されている。
【００１５】
上記ベースプレート１０は、他方の面１０ｂに、上記レンズマウント１２を間に置いて一辺１０ａに沿う上記レンズマウント１２の中心線（撮像窓１１の中心線）から一辺側に所定量変位した２カ所にねじ孔１４，１５を有し、さらにセンサブロック２０を支持する位置から外れた所定の位置にフランジバック調整部４０を取り付けるための取付孔１６およびねじ孔１７を有している。上記ねじ孔１４，１５には上記ガイド軸１８，１９が螺着され、上記ベースプレート１０に一対のガイド軸１８，１９が固定される。上記取付孔１６にはベアリング４７が嵌着され、上記ねじ孔１７にはブラケット４８がねじ止めされて、送りねじ４１が上記ベアリング４７と上記ブラケット４８とにより回転自在に上記ベースプレート１０に支持される。この回転自在に支持された上記送りねじ４１のブラケット４８から突出する端部には調整ダイヤル４９が同軸上に嵌着され、調整ダイヤル４９の回転を直接、送りねじ４１に伝達している。
【００１６】
上記センサブロック２０は、上記１本のガイド軸１８が通るガイド孔２４ａ，２８ａを設けた第１および第２の連結部２３ａ，２７ａを上記光軸（ｏ１）に沿う方向に所定の間隔を存して有し、これら連結部２３ａ，２７ａ相互の間に、上記結合ブロック４３に設けた上記ガイド孔４５を配置し、さらに図３に示す、上記結合ブロック４３と上記第２の連結部２７ａとの間隙（ｐ）に、図４乃至図６に示すように、上記コイル部５１を圧縮状態に挟んで上記ねじりコイルばね５０を配置している。
【００１７】
一方、ガイド軸１９が通るガイド孔２４ｂ，２８ｂを設けた第１および第２の連結部２３ｂ，２７ｂａ相互の間には介挿される部品が存在せず、ガイド孔２４ｂ，２８ｂは、ガイド軸１８が通るガイド孔２４ａ，２８ａを設けた第１および第２の連結部２３ａ，２７ａとともに、センサブロック２０を光軸（ｏ１）に沿う方向に移動可能に支持する部材として機能する。
【００１８】
上記センサブロック２０は、第１の連結部２３ａ，２３ｂを設けた第１部位２１と、第２の連結部２７ａ，２７ｂを設け上記第１部位２１に接続された第２部位２６と、上記第１部位２１と上記第２部位２６とにわたる係合壁部２６ｆとを有し、上記結合ブロック４３は、上記ねじ孔４４と上記ガイド孔４５との間にばね受部４３ａを有し、上記ねじりコイルばね５０は、図４乃至図６に示すように、上記第１のアーム部５２を上記ばね受部４３ａに係止させ、上記第２のアーム部５３を上記第１および第２の連結部２３ａ，２７ａ間の上記係合壁部２６ｆに係止させて配置され、図７（ｂ）に符号ｅで示した上記コイル部５１のねじり反力により、上記第２のアーム部５３を上記係合壁部２６ｆに押し当て、図７（ｃ）に符号ｆで示した上記コイル部５１の圧縮反力により、上記コイル部５１を上記連結部２７ａに押し当てた状態に保持している。
【００１９】
上記センサ基板３０は、エリアイメージセンサ３１の撮像面３１ｆをセンサブロック２０の第１部位２１に設けられた撮像窓２３ｈから露出させた状態でエリアイメージセンサ３１を実装し、センサブロック２０の第２部位２６に設けられたセンサ取付部２６ｈにねじ止め固定されている。
【００２０】
上記フランジバック調整部４０において、調整ダイヤル４９を図２に符号ａで示す矢印方向に回転させると、この回転が直接、送りねじ４１に伝達され、ねじ部４２に螺合している結合ブロック４３が調整ダイヤル４９の回転に伴って図２に符号ｂで示す送りねじ４１の軸方向に、リミットストッパ４６ａ，４６ｂ規制した範囲内で移動する。この結合ブロック４３の移動に伴い、結合ブロック４３に連結されたセンサブロック２０が図２に符号ｃで示す光軸（ｏ１）方向に移動し、センサブロック２０に実装されたエリアイメージセンサ３１の撮像面３１ｆとレンズマウント１２との間の距離調整、すなわちフランジバック調整が可能となる。この際、フランジバック調整部４０の駆動伝達機構にねじりコイルばね５０が存在しない場合、送りねじ４１と結合ブロック４３との間、および結合ブロック４３とセンサブロック２０との間における各連結要素間の所謂ガタと呼称される遊びにより、調整ダイヤル４９の回転が正確にセンサブロック２０に伝達されず、光軸（ｏ１）方向に対して、正確な位置調整、並びに位置固定が行えない。
【００２１】
このフランジバック調整部４０の駆動伝達機構において、センサブロック２０と結合ブロック４３との間に、図７に示すねじりコイルばね５０が介挿されることで、上記各連結要素間のガタ（遊び）を抑制し、調整ダイヤル４９の回転を正確にセンサブロック２０に伝達して、正確な位置調整すなわち正確なフランジバック調整と、調整後の位置固定が可能となる。
【００２２】
上記ねじりコイルばね５０は、図７（ａ）に示すように、コイル部５１のコイル端に第１、第２のアーム部５２，５３を有したトーションばね構造であり、コイル部５１は、図７（ｂ）に符号ｅで示すコイル中心軸周り方向のねじり反力に加え、図７（ｃ）に符号ｆで示すコイル中心軸方向の圧縮反力による、互いに直交する二方向のばね作用を有し、第１のアーム部５２が結合ブロック４３に係止され、第２のアーム部５３が上センサブロック２０に係止されることで、センサブロック２０に、光軸（ｏ１）に対して軸周りの方向と、光軸（ｏ１）に沿う方向の二方向に予圧をかけている。
【００２３】
具体的には、ねじりコイルばね５０が、第１のアーム部５２を結合ブロック４３のばね受部４３ａに係止させ、第２のアーム部５３を第１および第２の連結部２３ａ，２７ａ間の係合壁部２６ｆに係止させた状態で、かつガイド軸１８に緩挿されたコイル部５１が結合ブロック４３と第２の連結部２７ａとの間に挟まれた状態で配置され、図７（ｂ）に符号ｅで示したコイル部５１のねじり反力により第２のアーム部５３を係合壁部２６ｆに押し当て、図７（ｃ）に符号ｆで示したコイル部５１の圧縮反力によりコイル部５１を連結部２７ａに押し当てた状態に保持している。
【００２４】
この実施形態では、ねじりコイルばね５０のばね線径（ｄ）をｄ＝φ０．４５ｍｍ、コイル部５１の巻ピッチ（ｎｐ）をｎｐ＝１．４ｍｍとして、上記したコイル中心軸方向に対して適度な圧縮反力（ｆ）によるばね作用で光軸（ｏ１）方向の位置精度を向上させている。
【００２５】
上記したねじりコイルばね５０による、互いに直交する二方向のばね作用により、調整ダイヤル４９の回転に遊びが生じない精度の高いフランジバック調整が可能となる。この実施形態では、センサブロック２０をベースプレート１０に対し基準位置から光軸（ｏ１）に沿う方向に±１．０ｍｍの範囲で任意の位置に保持することが可能であり、上記範囲内で精度の高いフランジバック調整を行うことができる。
【００２６】
上記したように、この実施形態では、センサブロック２０に対して精密な直進移動が必要とされるため、カメラ本体となるベースプレート１０の２箇所にガイド軸１８，１９を設けてスムーズな光軸（ｏ１）方向の直進移動を可能にしている。また、センサブロック２０と結合ブロック（ナット）４３の連結において、結合ブロック自体にも回転防止のための簡易ガイドが必要であるが、この実施形態では、センサブロック２０を支持する２本のガイド軸１８，１９のうちの一方のガイド軸１８を兼用させて結合ブロック（ナット）４３を配置している。
【００２７】
このような送りねじ式直動機構の場合、精密な直動移動のためにはガイド部の精度やガイド本体の構造が重要となり、一般的に大型のガイド機構では摺動部にボールやコロを入れてスムーズに移動させるなどの工夫をするが、小型のガイドでは、精密なはめ合い公差で加工された軸と穴で滑り移動させて使用する。いずれの場合にも極力ガタを低減させる目的で、ガイド部に一定方向の予圧を与えてガタを収束させる工夫が必要となる。この実施形態の構造では、はめ合い公差で加工された軸と孔の組合せにより、調整移動を行う。ここで、予圧が必要な箇所であるが、フランジバック調整で光光軸（ｏ１）に対してガタが発生しないよう、回転方向への予圧が必要になる。基本的にはセンサブロック２０に対する予圧となるが、結合ブロック（ナット）４３の微小回転（遊び）が影響しないよう、結合ブロック（ナット）４３に対してもかけるべきである。さらに、送りねじ４１の回転を結合ブロック（ナット）４３の移動を通じてセンサブロック２０へ伝える過程でバックラッシュ（遊び）が発生しないよう、光軸（ｏ１）方向にも予圧をかける必要がある。これら２方向の与圧は、各々の方向毎にそれぞればね類を取付けることで実現できるが、この実施形態においては、１個のねじりコイルばね５０を上記した一方のガイド軸１８に取付けることで実現でき、さらに省スペース化が可能となることでカメラ本体の小型化、構造の単純化により、製造、メンテナンスの高効率化を図ることができる。通常、ねじりコイルばねは、主にコイル中心軸まわりにねじりモーメントを与えて反力を得るばねとして使用されるが、この実施形態では、コイル部５１に任意のピッチ（ｎｐ）をもたせて数回巻装し、コイル中心軸方向にも圧縮コイルばねの要素をもたせたばねを使用している。この互いに直交する２方向のばね作用をもつねじりコイルばね５０を用いることで、構成を簡素にして、中心軸周りの回転方向と中心軸方向の２方向に対して同時にばね作用を有した精度の高いフランジバックの微調整が可能となる。
【００２８】
上記した実施形態は、フランジバックの調整を基準位置から光軸（ｏ１）方向に向けて±１．０ｍｍの範囲で微調整するものとしているが、リミットストッパ４６ａ，４６ｂのいずれか一方若しくは双方を送りねじ４１の軸方向に所定量可変可能な構成にすることで、用途や仕様に応じて所望する任意の範囲設定が可能である。
【００２９】
また上記した実施形態は、所謂シングルトーション形のねじりコイルばねを用いたフランジバック調整機構であったが、ダブルトーション形のねじりコイルばねを用いた他の第１実施形態を図８に示し、第２の実施形態を図９に示している。なお、ここでは、各部の構成要素について、ねじりコイルばねを除き、上記した図１乃至図６に示す構成要素と同一機能部分に同一符号を付してその詳細な説明を省略する。
【００３０】
上記図１乃至図７に示した第１実施形態は、フランジバック調整部４０に、図７に示したシングルトーション形のねじりコイルばね５０を用いた構成であったが、図８に示す第２実施形態は、上記シングルトーション形のねじりコイルばね５０に代え、ダブルトーション形のねじりコイルばね５５を用いている。
【００３１】
この第２実施形態は、図８に示すように、結合ブロック４３と第２の連結部２７ａとの間隙（ｐ）に、図８に示すように、対をなすコイル部５６ａ，５６ｂを圧縮状態に挟んで上記ねじりコイルばね５５を配置している。ダブルトーション形のねじりコイルばね５５は、第１のアーム部５８を結合ブロック４３のばね受部４３ａに係止させ、第２のアーム部５９を第１および第２の連結部２３ａ，２７ａ間の係合壁部２６ｆに係止させて配置され、コイル部５６ａ，５６ｂのねじり反力により、第２のアーム部５９を上記係合壁部２６ｆに押し当て、上記コイル部５６ａ，５６ｂの圧縮反力により、コイル部５６ａ，５６ｂを上記連結部２７ａに押し当てた状態に保持している。
【００３２】
この第２実施形態に係る構成は、光軸（ｏ１）に沿う方向の予圧を上記コイル部５６ａ，５６ｂではなく、上記コイル部５６ａ，５６ｂ相互を繋ぐ、コイル端相互の間のリード部分を含んだ連結部５７の圧縮反力により与えることも可能である。
【００３３】
この第２実施形態においても、互いに直交する２方向のばね作用をもつダブルトーション形のねじりコイルばね５５を用いることで、上記した第１実施形態と同様に、構成を簡素にして、中心軸周りの回転方向と中心軸方向の２方向に対して同時にばね作用を有した精度の高いフランジバックの微調整が可能となる。
【００３４】
シングルトーション形のねじりコイルばねに代え、ダブルトーション形のねじりコイルばねを用いてフランジバック調整部を構成した第３実施形態の要部の構成を図９に示している。
【００３５】
この図９に示すフランジバック調整機構は、センサブロック２０と結合ブロック４３との間に、上記したシングルトーション形のねじりコイルばね５０に代え、当該ばねと同様に、互いに直交する２方向のばね作用をもつ２つのコイル部が間隔を存して同軸上に繋がったダブルトーション形のねじりコイルばね６０を介挿している。
【００３６】
このねじりコイルばね６０は、第１コイル部６１と、この第１コイル部６１に連結部６３を介して接続された第２コイル部６２が、それぞれコイル中心軸周り方向のねじり反力と、コイル中心軸方向の圧縮反力による、互いに直交する二方向のばね作用を有し、センサブロック２０と結合ブロック４３との間に介挿されて、調整ダイヤル４９の回転駆動に対して遊びのない直動機構を実現している。
【００３７】
上記ねじりコイルばね６０は、第１コイル部６１に接続する第１のアーム部６５が第１および第２の連結部２３ａ，２７ａ間の係合壁部２６ｆに係止され、第２コイル部６２に接続する第２のアーム部の先端が第１の連結部２３ａに設けた係合孔２３ｃに嵌挿されて第２のアーム部が係合孔２３ｃに係止され、第１コイル部６１と第２コイル部６２を接続する連結部６３が結合ブロック４３のばね受部４３ａに当接した状態で、かつガイド軸１８に緩挿された第１コイル部６１が結合ブロック４３と第２の連結部２７ａとの間に挟まれ、同じくガイド軸１８に緩挿された第２コイル部６２が結合ブロック４３と第１の連結部２３ａとの間に挟まれた状態で配置され、第１コイル部６１および第２コイル部６２のねじり反力により連結部６３を係合壁部２６ｆに押し当て、第１コイル部６１および第２コイル部６２の圧縮反力により、第１コイル部６１を第２の連結部２７ａに押し当て、第２コイル部６２を第１の連結部２３ａに押し当てた状態に保持している。
【００３８】
このような構成においても、センサブロック２０に、１本のガイド軸１８の軸周り方向と光軸（ｏ１）に沿う方向の二方向に予圧をかけた、精度の高いフランジバック調整を可能にしたカメラ組立構造が提供できる。
【００３９】
なお、本発明は、上記実施形態そのままに限定されるものではなく、実施段階では本発明の要旨を逸脱しない範囲で構成要素を変更若しくは変形して実現することも可能である。
【符号の説明】
【００４０】
１０…ベースプレート、１１…撮像窓、１２…レンズマウント、１８，１９…ガイド軸、２０…センサブロック、２１…第１部位、２３…第２部位、２３ａ，２３ｂ…第１の連結部、２４ａ，２４ｂ，２８ａ，２８ｂ…ガイド孔、２７ａ，２７ｂ…第２の連結部、３０…センサ基板、３１…エリアイメージセンサ、４０…フランジバック調整部、４１…送りねじ、４２…ねじ部、４３…結合ブロック（ナット）、４９…調整ダイヤル、５０，５５，６０…ねじりコイルばね、５１…コイル部、５２…第１のアーム部、５３…第２のアーム部。
【図１】
2016009119.tif 000003
【図２】
2016009119.tif 000004
【図３】
2016009119.tif 000005
【図４】
2016009119.tif 000006
【図５】
2016009119.tif 000007
【図６】
2016009119.tif 000008
【図７】
2016009119.tif 000009
【図８】
2016009119.tif 000010
【図９】
2016009119.tif 000011